(57)【要約】【課題】建造物の露出する壁部を覆蓋する被覆構造体であって、組立ての実行を、ネジ止め手段を採用することなく容易に行うことができ、かつ、各パネルの各支持部材に対する支持が確実であって、パネルが外部から大きな負荷が作用しても、パネルが支持部材から容易には脱落しないようにする。【解決手段】壁部に取付けられて並列する両支持部材１０ａ、１０ｂの各支持部１２にパネル２０ａ、２０ｂを、その被支持部２２を挿入した状態で支持し、かつ、隣合う同士のパネル２０ａを、互いに対向する側縁部を係合させた状態で支持することによって、パネル２０ａ，２０ｂを支持部材１０ａ，１０ｂに確実に支持する。当該被覆構造体の組立てでは、パネル２０ａ，２０ｂを並列する両支持部材１０ａ，１０ｂの支持部２２に挿入する作業でよくて、組立作業が容易で短時間で済む。【選択図】    図１
2005179951.tif 000002
【特許請求の範囲】
【請求項１】
建造物を構成する壁部に基端部にて取付けられて所定間隔を保持して並列する複数の支持部材と、これらの支持部材の先端部に支持されて並列し前記壁部を露出面側から覆蓋する複数のパネルを備える被覆構造体であり、前記支持部材は先端側に、中央部が先端側に開口する長手方向に延びる開口部を有して同開口部の各側縁部がコ字状断面で互いに対向する一対のレール部に形成されている断面長方筒形状の長尺の支持部を備え、前記パネルは前記支持部材の長手方向に対応する一方の側部に、互いに隣合う一方の支持部材の前記レール部の一方に挿入状態で嵌合して支持されるプレート状の被支持部を備えるとともに、前記支持部材の長手方向に対応する他方の側部に、互いに隣合う他方の支持部材の前記レール部の他方に挿入状態で嵌合して支持されるプレート状の被支持部を備え、かつ、前記パネルは前記支持部材の長手方向に直交する方向に対応する一方の側部と他方の側部に、隣合う他方の前記パネルにおける前記支持部材の長手方向に直交する方向に対応する他方の側部と一方の側部が互いに係合する係合部を備え、前記各パネルは、前記各被支持部を前記各支持部材の各レール部に嵌合された状態でこれら各支持部材に支持され、かつ、前記各パネルは隣合う一方のパネルの係合部と他方のパネルの係合部とが係合された状態で互いに支持されていることを特徴とする建造物用の被覆構造体。
【請求項２】
請求項１に記載の被覆構造体において、前記パネルにおける前記被支持部は、同被支持部が前記支持部材のレール部に嵌合されている状態で、同被支持部を前記レール部のいずれかの内面側へ弾撥的に押圧する押圧部を備えていることを特徴とする建造物用の被覆構造体。
【請求項３】
請求項１に記載の被覆構造体において、前記パネルにおける前記支持部材の長手方向に直交する方向に対応する一方の側縁部は内向フランジ部に形成されているとともに他方の側縁部は外向フランジ部に形成されていて、これら各側縁部が隣合う前記パネルの各側縁部と互いに重合する係合部を構成していることを特徴とする建造物用の被覆構造体。
【請求項４】
請求項１に記載の被覆構造体において、前記パネルにおける前記支持部材の長手方向に直交する方向に対応する一方の側部には係止部を備えるとともに他方の側縁部は前記係止部に係止される外向フランジ部に形成されていて、前記係止部と隣合う前記パネルの側縁部とが互いに係止される係合部を構成していることを特徴とする建造物用の被覆構造体。
【請求項５】
請求項１に記載の被覆構造体において、前記建造物を構成する壁部は建築物の外壁であって、当該被覆構造体は前記外壁を覆蓋する外装構造体であることを特徴とする建造物用の被覆構造体。
【請求項６】
請求項１に記載の被覆構造体において、前記建造物を構成する壁部は家屋やビル内の空間部を区画する上壁、側壁または底壁であって、当該被覆構造体はこれらの上壁、側壁または底壁を覆蓋す内装構造体であることを特徴とする建造物用の被覆構造体。
【請求項７】
請求項１に記載の被覆構造体において、前記建造物を構成する壁部は高架橋、高架道路または歩道橋の下壁であって、当該被覆構造体は前記下壁を覆蓋する外装構造体であることを特徴とする建造物用の被覆構造体。
【請求項８】
請求項１に記載の被覆構造体において、前記建造物を構成する壁部は塔の外壁であって、当該被覆構造体は前記外壁を覆蓋する外装構造体であることを特徴とする建造物用の被覆構造体。
【請求項９】
請求項１に記載の被覆構造体において、前記建造物を構成する壁部は道路の防音壁および隧道の内壁であって、当該被覆構造体は前記内壁を覆蓋する内装構造体であることを特徴とする建造物用の被覆構造体。
【発明の詳細な説明】
【技術分野】
【０００１】
本発明は、建造物の壁部を覆蓋する建造物用の被覆構造体に関する。
【背景技術】
【０００２】
建造物用の被覆構造体には、家屋やビルの空間部を区画する上区画壁、側区画壁、底区画底壁等を覆蓋する内装構造体、高架橋、高架道路、歩道橋等の下壁を覆蓋する外装構造体、塔の外壁を覆蓋する外装構造体、道路の防音壁、隧道等の内壁を覆蓋する内装構造体等、各種の壁部を覆蓋する用途の被覆構造体がある。当該形式の被覆構造体の典型的な例としては、家屋やビルの空間部を区画する上区画壁、側区画壁、底区画底壁等を覆蓋して、部屋や廊下の天井、内壁、床等を形成する天井構造体、内壁構造体、床構造体等の内装構造体を挙げることができる。
【０００３】
当該内装構造体を含む多くの被覆構造体は、建造物を構成する壁部に基端部にて取付けられて所定間隔を保持して並列する複数の支持部材と、これらの支持部材の先端部に支持されて並列し前記壁部を露出面側から覆蓋する複数のパネルにて構成されている。これらの支持部材とパネルからなる被覆構造体を組立てて建造物の壁部を覆蓋するには、当該壁部に取付けらた複数の支持部材の先端側の支持部にパネルをネジ止めして取付ける、所謂ネジ止め手段を採られるのが一般である。当該ネジ止め手段の実行は、支持部材の支持部に設けた多数のネジ孔とパネルに設けた多数のネジ孔とが互いに対向するようにパネルを配置して、互いに対向する両ネジ孔を通してネジを螺着することによってなされる。このため、当該ネジ止め手段を実行する作業には手数がかかる。
【０００４】
当該被覆構造体で覆蓋する建造物の壁部は、一般には大きな面積を有することから、多数の支持部材と多数のパネルとからなる被覆構造体が採用されることになり、当該被覆構造体ではネジ止め箇所が極めて多くなる。このため、当該ネジ止め手段の実行には多数のネジの使用が不可欠であって、当該ネジ止め手段の実行には極めて多くの手数と時間がかかり、作業能率の極めて悪くなる。しかも、当該ネジ止め手段を実行した場合には、使用している多数のネジの頭部が被覆構造体の表面に露出することになって、被覆構造体の用途によっては外観を損うことにもなる。かかる問題に対処するには、多数のネジの頭部を目隠しするための手段が必要になる。
【０００５】
近年、当該被覆構造体におけるこれらの問題を解消すべく、ネジ止め手段を使用することなく構造体に組立てることができる被覆構造体が提案されている（特許文献１，特許文献２を参照）。
【０００６】
上記した特許文献１にて提案されている被覆構造体は、「天井パネルの取付構造」なる名称で提案されているものであり、当該天井パネルの取付構造で構成される天井構造体は、支持部材である複数の下地とパネルである複数の天井パネルからなるものである。下地は、断面形状が上向きコ字状の長尺の下地本体の両側面に上方から下方に向けて波形状に屈曲して延びる係合片を有するもので、当該係合片は下方に開口する係合凹所を構成している。また、天井パネルは、パネル本体の周壁に設けた内向縁に連結片を有するもので、連結片は突起を備えている。当該天井構造体を組立てるには、部屋の区画上壁に取付けた各下地の係合凹所に、各天井パネルに設けた連結片を挿入して係合させる取付手段が採られている。当該取付手段によれば、天井パネルを下地にワンタッチで取付けることができるため、ネジ止め手段を採用する場合に比較して、取付けに要する手数を大幅に低減することができるとともに、天井パネルの良好な外観を確保する手段が不要となるという利点がある。
【０００７】
しかしながら、当該ワンタッチ取付手段は、下地側の係合凹所に天井パネル側の連結片を挿入して係合させるにすぎないことから、天井パネルは下地に対して強固に支持されてはいない。このため、下地に支持されている天井パネルに、地震やその他の現象によって、上下方向に大きな負荷が作用した場合や、左右方向に撓みが生る大きな負荷が作用した場合には、天井パネルは下地から脱落するおそれが大きい。
【０００８】
また、上記した特許文献２にて提案されている被覆構造体は、「室」なる名称で提案されているもので、当該室における天井構造体の組立てには、区画壁に取付けた各支持部材の支持片に天井パネルを載置して支持する取付手段が採られている。このため、当該取付手段では、ネジ止め手段を採用する場合に比較して、取付けに要する手数と時間を大幅に低減することができるとともに、天井パネルの良好な外観を確保する手段が不要となるという利点がある。
【０００９】
しかしながら、当該取付手段は、両支持部材の支持片に天井パネルの両側縁部を載置するにすぎないことから、天井パネルは支持片に対して強固に支持されてはいない。このため、各支持部材に支持されている天井パネルに、地震やその他の現象によって、上下方向に負荷が作用した場合や、左右方向に撓みが生じる大きな負荷が作用した場合には、天井パネルは、上記したワンタッチ取付手段で支持されている天井パネルと同様に、各支持部材から脱落するおそれが大きい。
【特許文献１】実開平５−５２０３０号公報
【特許文献２】実開平７−２６４６５４号公報
【発明の開示】
【発明が解決しようとする課題】
【００１０】
本発明は、当該形式の被覆構造体のこのような問題に鑑みなされたものであり、本発明の主たる目的は、当該形式の被覆構造体の組立ての実行を、ネジ止め手段を採用することなく容易に行うことができ、かつ、各パネルの各支持部材に対する支持が確実であって、パネルが外部から大きな負荷が作用しても、パネルが支持部材から容易には脱落しないようにすることにある。
【課題を解決するための手段】
【００１１】
本発明は、建造物を構成する壁部に基端部にて取付けられて所定間隔を保持して並列する複数の支持部材と、これらの支持部材の先端部に支持されて並列し前記壁部を露出面側から覆蓋する複数のパネルを備える形式の被覆構造体に関するものである。
【００１２】
しかして、本発明に係る被覆構造体を構成する支持部材は、先端側に、中央部が同先端側に開口する長手方向に延びる開口部を有して同開口部の各側縁部がコ字状断面で互いに対向する一対のレール部に形成されている断面長方筒状の長尺の支持部を備えているものである。
【００１３】
また、当該被覆構造体を構成するパネルは、前記支持部材の長手方向に対応する一方の側部に、互いに隣合う一方の支持部材の前記レール部の一方に挿入状態で嵌合して支持されるプレート状の被支持部を備えるとともに、前記支持部材の長手方向に対応する他方の側部に、互いに隣合う他方の支持部材の前記レール部の他方に挿入状態で嵌合して支持されるプレート状の被支持部を備えているものである。また、前記パネルは、前記支持部材の長手方向に直交する方向に対応する一方の側部と他方の側部に、隣合う他方の前記パネルにおける前記支持部材の長手方向に直交する方向に対応する他方の側部と一方の側部が互いに係合する係合部を備えているものである。
【００１４】
本発明に係る被覆構造体は、上記した複数の支持部材と複数のパネルとからなるもので、建造物を構成する壁部に基端部にて取付けられて所定間隔を保持して並列する複数の前記支持部材に対して、前記各パネルは、同パネルの各被支持部を前記各支持部材の各レール部に嵌合された状態で支持され、かつ、隣合う同士の前記各パネルは、隣合う一方のパネルの係合部と他方のパネルの係合部を互いに係合された状態で互いに支持されていることを特徴とするものである。
【００１５】
本発明に係る被覆構造体においては、前記パネルの前記被支持部には、同被支持部が前記支持部材のレール部に嵌合されている状態で、同被支持部を前記レール部のいずれかの内面側へ弾撥的に押圧する押圧部を設けるようにすることができる。
【００１６】
また、本発明に係る被覆構造体において、前記パネルにおける前記支持部材の長手方向に直交する方向に対応する一方の側縁部を内向フランジ部に形成するとともにその他方の側縁部を外向フランジ部に形成して、これら各側縁部が隣合う前記パネルの各側縁部と互いに重合する係合部を形成するように構成することができる。
【００１７】
また、本発明に係る被覆構造体において、前記パネルにおける前記支持部材の長手方向に直交する方向に対応する一方の側部には係止部を設けるとともに、その他方の側縁部を前記係止部に係止される外向フランジ部に形成して、前記係止部と隣合う前記パネルの側縁部とが互いに係止される係合部を形成するように構成することができる。この場合、前記係止部を、前記パネルの上記した一方の側縁部である内向フランジ部に設けるようにすることもできる。
【発明の効果】
【００１８】
本発明に係る被覆構造体においては、各支持部材と各パネル間では、各パネルに設けた被支持部を隣合う同士の各支持部材の先端側の支持部である各レール部に挿入した状態で支持され、かつ、隣合う同士の各パネル間では、互いに対向する側縁部を係合した状態で支持されている。当該パネルの支持構造では、各パネルは各支持部材の支持部からは容易には脱落しない。
【００１９】
また、当該パネルの支持構造では、各パネルは各支持部材の支持部（レール部）の長手方向では直列しているパネルによって動きを規制され、かつ、各支持部材の支持部に直交する方向では互いに並列しているパネルによって動きを規制されている。このため、各パネルの支持が一層強固であって、外部からの大きな振動や撓み等の作用力が負荷されても、各パネルの各支持部材の支持部からの脱落は一層防止される。
【００２０】
本発明に係る被覆構造体は、このように、各パネルの各支持部材の支持部からの脱落を防止する高い脱落防止機能を有することから、家屋やビルの部屋や廊下の天井構造体、内壁構造体、床構造体として採用することができることは勿論のこと、極めて大きな振動や撓み力が継続して負荷される高架橋、高架道路、歩道橋等の下壁等を覆蓋する外装構造体として好適に採用することができるとともに、道路の防音壁、隧道等の内壁を覆蓋する内装構造体としても好適に採用することができる。
【００２１】
本発明に係る被覆構造体を構成する支持部材では、壁部に取付けられる脚部とパネルを支持する支持部とが脱着可能に構成することができる。本発明に係る被覆構造体において、当該支持部材を少なくとも１個採用する構成をとれば、当該支持部材の支持部を脚部から取外すことにより、当該支持部に支持されているパネルを取外すことができ、また、これに伴い形成される当該パネルの取付け空間部を利用して隣合う他のパネルを取外すことができる。なお、かかる取外し作業を逆にすれば、取外されたパネルを支持部材に容易に取付けることができる。これにより、当該被覆構造体に覆蓋されている設備、機械器具、装置、その他の部品の配設部位を覆蓋状態から開放して、設備、機械器具、装置、その他の部品の保守、点検、修繕、および交換等の作業を容易にすることができる。なお、当該被覆構造体において、その少なくとも１箇所を、支持部材に支持されているパネルを引き抜いて取外せる空間部を確保し得るように構成すれば、これによっても、上記した作用効果を奏することができる。
【発明を実施するための最良の形態】
【００２２】
本発明は、建造物を構成する壁部の露出面側を覆蓋する被覆構造体である。図１および図２には、当該被覆構造体の一実施形態である内装構造体を示している。当該内装構造体は、ビルの空間部を区画する区画上壁を覆蓋して、部屋や廊下等の天井を構成するものである。従って、以下では、当該実施形態に係る内装構造体を天井構造体Ａと称する。図１は、当該天井構造体Ａを裏側から見た一部を示す斜視図であり、図２は、当該天井構成体Ａを縦断した状態の一部を省略した縦断面図である。当該天井構造体Ａは、支持部材である多数のパネルホルダー１０ａと、多数の天井パネル２０ａとにより構成されている。
【００２３】
パネルホルダー１０ａは、図１〜図３に示すように、脚部１１と支持部１２とからる所定長さの長尺のもので、支持部１２は脚部１１の先端に一体的に設けられている。支持部１２は、パネルホルダー１０ａが区画上壁に取付けられた状態では下方に延びていることから、当該天井構造体Ａでは、脚部１１の先端を下端を称する。
【００２４】
脚部１１に一体的に設けられている支持部１２は、断面が横長の長方筒状に形成されているもので、支持部１２の下面の中央部には下方に開口する開口部１２ａが形成されている。開口部１２ａは、パネルホルダー１０ａの長手方向に延びる長尺のもので、支持部１２の左右に、コ字状断面で互いに対向する一対のレール部１２ｂ，１２ｃを形成している。かかる構成のパネルホルダー１０ａは、上壁に吊り用ハンガーａ1を介して取付けられている横桁ａ2に、クリップａ3を介して取付けられる。多数のパネルホルダー１０ａは、かかる取付け状態においては互いに所定間隔を保持して並列して、長手方向に延びている。
【００２５】
天井パネル２０ａは、図１、図２および図４に示すように、長方形状で平板状のパネル本体２１と、パネル本体２１におけるパネルホルダー１０ａの長手方向に対応する各側壁部の上端に設けられた前後一対および左右一対の被支持片２２（合計４個）と、パネル本体２１におけるパネルホルダー１０ａの長手方向に直交する方向に対応する一方の側壁部の上端に設けられらた側縁部２３と、パネル本体２１におけるパネルホルダー１０ａの長手方向に直交する方向に対応する他方の側壁部の上端に設けられた側縁部２４とによって構成されている。
【００２６】
天井パネル２０ａを構成する各被支持片２２は、図１、図４および図５に示すように、その中央部が切起されている。切起し片２２ａは、上方へわずかに突出していて、上下方向に所定量撓むバネ力を有する押圧部を形成している。天井パネル２０ａを構成する両側縁部２３，２４のうち、一方の側縁部２３は内向きフランジ状のもので、水平方向に所定長さ延びている。一方の側縁部２３における左右の端部近傍には、係止片２５が固着されている。係止片２５は、屈曲形成されているもので、図５に示すように、一方の側縁部２３上にてその外側に開口しており、側縁部２３と協働して係止部を構成している。また、他方の側縁部２４は外向きフランジ状のもので、水平方向に所定長さ延びている。
【００２７】
かかる構成の天井パネル２０ａは、その所定の枚数を、互いに並列する２個のパネルホルダー１０ａの各レール部１２ｂ，１２ｃに、その長さ方向に順次挿入することによって、直列状態に配置され、かつ、隣合う同士では並列状態に配置される。天井パネル２０ａは、各被支持片２２を、所定間隔を保持して並列する両パネルホルダー１０ａの各レール部１２ｂ，１２ｃに挿入された状態で、両パネルホルダー１０ａに支持されるもので、各被支持片２２が各レール部１３ａ，１３ｂに挿入された取付け状態では、切起し片２２ａが被支持片２２をレール部１２ｂ，１２ｃの底部側に弾撥的に押圧する。これにより、天井パネル２０ａは、レール部１２ｂ，１２ｃ内での動きを所定の力で規制され、かつ、互いに直列する天井パネル２０ａによって直列方向の動きを規制される。
【００２８】
また、両パネルホルダー１０ａに支持されている隣合う同士の天井パネル２０ａ間では、一方の天井パネル２０ａの一方の側縁部２３と他方の天井パネル２０ａの他方の側縁部２４が重合状態に係合し、この係合状態においては、他方の側縁部２４は、一方の側縁部２３上に設けた係止片２５が形成する係止部に挿通した状態で、係止片２５に係止される。これにより、天井パネル２０ａは、並列する隣合う同士の天井パネル２０ａによって、並列方向の動きを規制される。
【００２９】
このように、かかる構成の天井構造体Ａにおいて、各パネルホルダー１０ａに支持されている多数の天井パネル２０ａが図示しない区画上壁の下面側を覆蓋して、部屋や廊下等の天井を構成しているが、各パネルホルダー１０ａにて支持されている全ての天井パネル２０ａは、パネルホルダー１０ａの各支持部１２に確実に支持され、かつ、直列方向および並列方向の動きを隣合う同士の天井パネル２０ａによって確実に規制された状態にある。このため、当該天井構造体Ａにおいては、地震やその他の現象によって、天井パネル２０ａに上下方向の大きな負荷や左右方向の撓みを生ずる大きな負荷が作用しても、各天井パネル２０ａは各パネルホルダー１０ａから脱落するおそれはない。なお、当該天井構造体Ａにおける符号２６は化粧目地材であって、隣合う同士の天井パネル２０ａ間の隙間に取付けられて、化粧目地を形成するものである。当該化粧目地は、必要により適宜に形成されるものである。
【００３０】
多数のパネルホルダー１０ａと多数の天井パネル２０ａからなる当該天井構造体Ａを組立てるには、例えば、部屋や通路を区画する区画上壁に吊り用ハンガーａ1を介して取付けられている横桁ａ2に、所要の数のパネルホルダー１０ａをクリップａ3を介して、所定間隔を保持して並列状態に取付ける。なお、１本のパネルホルダー１０ａでは、必要な長さが不足する場合には、複数本のパネルホルダー１０ａを直列状態に接合して取付ける。このように並列配置された隣合う同士の両パネルホルダー１０ａに、各天井パネル２０ａを取付けて支持する。
【００３１】
天井パネル２０ａの両パネルホルダー１０ａに対する取付作業は、天井パネル２０ａの両側の被支持片２２を、隣合う同士の両パネルホルダー１０ａの支持部１２におけるレール部１２ｂ，１２ｃに挿入して、天井パネル２０ａをレール部１２ｂ，１２ｃの所定の位置に配置する。天井パネル２０ａのこのような取付作業を、隣合う同士の両パネルホルダー１０ａ間で繰返し行って、必要な全ての枚数の天井パネル２０ａを全てのパネルホルダー１０ａに取付ける。これにより、全ての天井パネル２０ａは、上記したように、各パネルホルダー１０ａの支持部１２に確実に支持され、かつ、隣合う同士の天井パネル２０ａ間で互いに支持される。天井パネル２０ａのこのような取付作業は容易で、かつ、ネジ止め手段のごとき多くの手数と時間を要することなく行うことができる。
【００３２】
当該天井構造体Ａにおいては、天井パネル２０ａを容易に取外しできる取外し手段を付加することがきる。その第１の手段は、多数取付けられているパネルホルダー１０ａのうちの少なくとも１箇所の端部に、少なくとも１枚の天井パネル２０ａを引抜くことができる空間部を確保しておくことである。但し、当該空間部は、天井パネル２０ａとは異なる他の天井パネルで覆蓋しておくことが好ましい。当該空間部が確保されている場合には、必要時には、天井パネル２０ａを、当該空間部を利用して両パネルホルダー１０ａから引抜くことができるとともに、その後は、直列している天井パネル２０ａを、両パネルホルダー１０ａから順次引抜くことができる。これにより、当該天井構造体Ａに覆蓋されている設備、機械器具、装置、その他の部品の配置部位の下方を開口して、当該部位を開放することができる。この開放状態を形成すれば、当該天井構造体Ａに覆蓋されている設備、機械器具、装置、その他の部品の保守、点検、修繕、交換等の作業を容易にすることができる。なお、これらの作業の終了後には、取外されている天井パネル２０ａを再度パネルホルダー１０ａに取付けることになるが、天井パネル２０ａの取付作業は、予め確保されている空間部を利用して、両パネルホルダー１０ａに容易に取付けることができる。
【００３３】
天井パネル２０ａを容易に取外しできる取外し手段の第２の手段は、使用する多数のパネルホルダー１０ａのうちの１または複数のパネルホルダー１０ａに、図６に示すパネルホルダー１０ａを採用することである。当該パネルホルダー１０ａは、脚部１１と支持部１２が別体に形成されていて、ネジを介して一体化されているものである。従って、当該パネルホルダー１０ａにあっては、ネジを取外せば、支持部１２は脚部１１から取外すことができ、かつ、取外された支持部１２はネジを介して脚部１１に再度取付けることができる。このため、当該パネルホルダー１０ａに支持されている天井パネル２０ａを取外したい場合には、図６の２点鎖線で示すように、当該パネルホルダー１０ａの支持部１２を脚部１１から取外す。これにより、当該パネルホルダー１０ａとその隣合うパネルホルダー１０ａに支持されている天井パネル２０ａを、両パネルホルダー１０ａから容易に取外すことができて、天井パネル２０ａを取外した部位に空間部を形成することができる。また、必要であれば、当該空間部を利用して直列している他の天井パネル２０ａを順次取外すことができる。
【００３４】
図７には、本発明に係る被覆構造体の他の一実施形態である内装構造体を示している。当該内装構造体は、ビルの空間部を区画する区画側壁を覆蓋して部屋や廊下等の側壁を構成するものである。従って、以下では、当該実施形態に係る内装構造体を側壁構造体Ｂと称する。図７は、当該側壁構造体Ｂを表側から見た一部を示す斜視図である。当該側壁構造体Ｂは、支持部材である多数のパネルホルダー１０ｂと、多数の側壁パネル２０ｂからなるもので、パネルホルダー１０ｂおよび側壁パネル２０ｂは、天井構造体１０Ａを構成するパネルホルダー１０ａおよび天井パネル２０ａとは同一構成のものである。
【００３５】
多数のパネルホルダー１０ｂは、図示しない区画側壁に取付けられているアンカーｂに取付けらて、左右方向に所定の間隔を保持して互いに並列して、区画側壁に沿って上下方向に延びている。また、多数の側壁パネル２０ｂは、その被支持片を互いに並列する２本のパネルホルダー１０ｂの各レール部１２ｂ，１２ｃに、その長さ方向に順次挿入することによって直列状態に配置されるとともに、隣合う同士では並列状態に配置される。これにより、側壁パネル２０ｂは、パネルホルダー１０ｂに確実に支持されて直列方向の動きを規制され、かつ、並列する隣合う同士の側壁パネル２０ｂ間で確実に支持されて並列方向の動きを規制される。かかる側壁パネル２０ｂの支持構造は、天井構造体Ａにおける天井パネル２０ａの支持構造とは、垂直方向と水平方向の方向性の相違はあるものの、実質的には同一構造であり、天井構造体Ａと同様の作用効果を奏するものである。
【００３６】
なお、本発明に係る被覆構造体は、支持部材であるパネルホルダーおよびパネルとして、適宜の大きさ、強度、剛性のものを選定することにより、高架橋、高架道路または歩道橋の下方を覆蓋する外装構造体や、道路の防音壁および隧道の内側を覆蓋す内装構造体等、多くの被覆構造体に好適の採用することができる。
【図面の簡単な説明】
【００３７】
【図１】本発明に係る被覆構造体の一実施形態である天井構造体を裏側から見た状態の一部を省略した斜視図である。
【図２】当該天井構造体を図１の矢印２−２線で切断した状態の一部を省略した縦断面図である。
【図３】当該天井構造体を構成する支持部材であるパネルホルダーの拡大縦断面図である。
【図４】当該天井構造体を構成する天井パネルを裏側から見た斜視図である。
【図５】当該天井構造体を構成する天井パネルを図４の矢印５−５線で切断した状態の一部を省略した縦断面図である。
【図６】当該天井構造体を構成する天井パネルの取外し可能状態を示す一部を省略した縦断面図である。
【図７】本発明に係る被覆構造体の他の一実施形態である内壁構造体を表側から見た状態の一部を省略した斜視図である。
【符号の説明】
【００３８】
Ａ，…天井構造体、Ｂ…内壁構造体、１０ａ，１０ｂ…パネルホルダー、１１…脚部、１２…支持部、１２ａ…開口部、１２ｂ…一方のレール部、１２ｃ…他方のレール部、２０ａ…天井パネル、２０ｂ…側壁パネル、２１…パネル本体、２２…被支持片、２２ａ…切起し片、２３…一方の側縁部、２４…他方の側縁部、２５…係止片、２６…化粧目地材、ａ1…吊り用ハンガー、ａ2…横桁、ａ3…クリップ、ｂ…アンカー。
【図１】
2005179951.tif 000003
【図２】
2005179951.tif 000004
【図３】
2005179951.tif 000005
【図４】
2005179951.tif 000006
【図５】
2005179951.tif 000007
【図６】
2005179951.tif 000008
【図７】
2005179951.tif 000009